(57)【要約】【課題】  筐体本体を傷つけたり汚損したり等することなく、ハーネスを筐体内に仮止めできるようにする。【解決手段】  筐体本体１１内に電気・電子機器を取付ける前、端部にコネクタＣを有したハーネスＨ１，Ｈ２，Ｈ３，Ｈ４を筐体本体１１内に設けられたリールユニット載置板２６上に載置したうえで、メダル補給口３０を閉塞するための補給口カバー３１をリールユニット載置板２６に結合し、補給口カバー３１とリールユニット載置板２６との間にハーネスＨ１，Ｈ２，Ｈ３，Ｈ４を挟持固定する。【選択図】        図５
2007044247.tif 000002
【特許請求の範囲】
【請求項１】
前方に開口し、前面側に取付けられる前面扉と結合して筐体を構成する筐体本体と、
端部にコネクタを有し、前記筐体内に設けられる電気・電子機器同士を接続するハーネスと、
前記筐体本体の外郭を構成する部材を貫通して設けられ、前記筐体の外部から補給される遊技媒体の入口となる補給口と、
前記補給口に着脱自在に取付けられて前記補給口を閉塞する補給口カバーと、
前記補給口カバーと結合可能であり、結合状態における前記補給口カバーとの間に、前記筐体本体内に前記電気・電子機器が取付けられる前の段階における前記ハーネスを挟持固定する筐体本体内部部材とを有したことを特徴とする遊技機のハーネス仮止め装置。
【請求項２】
前方に開口し、前面側に取付けられる前面扉と結合して筐体を構成する筐体本体と、
端部にコネクタを有し、前記筐体内に設けられる電気・電子機器同士を接続するハーネスと、
前記筐体内に備えられる電源ボックスに着脱自在に取付けられて前記電源ボックスを保護する電源ボックスカバーと、
前記電源ボックスカバーと結合可能であり、結合状態における前記電源ボックスカバーとの間に、前記筐体本体内に前記電気・電子機器が取付けられる前の段階における前記ハーネスを挟持固定する筐体本体内部部材とを有したことを特徴とする遊技機のハーネス仮止め装置。
【請求項３】
前記遊技機が、前記電気・電子機器としてリールユニットを有したスロットマシンからなり、前記筐体本体内部部材が、前記リールユニットを載置するように水平に配置されたリールユニット載置板からなることを特徴とする請求項１又は２記載のハーネス仮止め装置。
【発明の詳細な説明】
【技術分野】
【０００１】
本発明は、スロットマシン等の遊技機において、筐体内に電気・電子機器が取付けられる前の段階で、電気・電子機器同士を電気的に接続するハーネスを筐体内に仮止めしておく遊技機のハーネス仮止め装置に関する。
【背景技術】
【０００２】
遊技機の一種であるスロットマシンは、遊技者がメダルを投入したうえで３つのリールの回転及び停止操作を行い、全てのリールが停止した状態における図柄の並び方に応じた枚数のメダルを獲得するというものである。このスロットマシンは、全体としてほぼ直方体状に形成された筐体と、この筐体内に備えられた種々の電気・電子機器とから構成されており、電気・電子機器同士は複数のハーネスによって電気的に接続されている。筐体は天板、底板、左右の側板及び背板から構成されて前方に開口した筐体本体と、この筐体本体の前面に蝶番を介して筐体本体に対して開閉自在に取付けられた前面扉とから構成されており、リールユニット、ホッパーユニット、電源ボックスなどの遊技動作機器及びその動作制御を行う制御基板からなる電気・電子機器はこの筐体内に取付けられる。また、筐体本体の外郭を構成する背板にはメダル補給口が設けられており、このメダル補給口を介してホール（遊技場）側から筐体内に（詳細にはホッパー内に）メダルが供給されるようになっている。
【０００３】
このような構成のスロットマシンは、先ず筐体本体と前面扉とをそれぞれ組み立てたうえで別の作業現場へ搬送し、その搬送先の作業現場において、筐体本体側及び前面扉側に電気・電子機器を取付け、最後に筐体本体と前面扉とを蝶番で結合して組み立てる。ここで、筐体本体の単体を組み立てた直後においては、電気・電子機器はまだ筐体本体には取付けられていないものの、これら電気・電子機器同士を接続するハーネスは筐体本体の側板の内面側にハーネス固定具（バンドなど）によって固定される。このため、筐体本体内及び前面扉に電気・電子機器を取付ける工程が終了した後には、ハーネスを探すことなくすぐに配線工程に取り掛かることができる。また、ハーネスが筐体本体と一緒に運ばれることになるため、ハーネスを別途保管する必要がなく、ハーネスを紛失する心配もない。
【特許文献１】特開平８−３０８９８４号公報
【特許文献２】特開２００５−１２４９００号公報
【発明の開示】
【発明が解決しようとする課題】
【０００４】
しかしながら、上記のようにハーネスを筐体本体に固定しておいた場合、ハーネスの端部に取付けられたコネクタはまだ電気・電子機器と接続されていないためハーネスとともにぶらついた状態となっており、筐体本体の運搬中等において筐体本体の内壁等と接触して破損に至るおそれがある。このような事態を防止するためにはコネクタそのもの或いはハーネスのコネクタに近い部分を筐体本体の内壁にテープ等で固定することが考えられるが、テープを剥がした後に粘着糊が筐体本体の内壁表面に残ってしまったり、テープの剥がし方が悪い場合には筐体本体の表面を傷つけたり汚損したりしてしまうおそれがある。
【０００５】
本発明はこのような問題に鑑みてなされたものであり、筐体本体を傷つけたり汚損したり等することなく、ハーネスを筐体内に仮止めできるようにした遊技機のハーネス仮止め装置を提供することを目的としている。
【課題を解決するための手段】
【０００６】
第１の本発明に係る遊技機のハーネス仮止め装置は、前方に開口し、前面側に取付けられる前面扉と結合して筐体を構成する筐体本体と、端部にコネクタを有し、筐体内に設けられる電気・電子機器同士を接続するハーネスと、筐体本体の外郭を構成する部材(例えば、実施形態における背板２５)を貫通して設けられ、筐体の外部から補給される遊技媒体(例えば、実施形態におけるメダル)の入口となる補給口(例えば、実施形態におけるメダル補給口３０)と、補給口に着脱自在に取付けられて補給口を閉塞する補給口カバーと、補給口カバーと結合可能であり、結合状態における補給口カバーとの間に、筐体本体内に電気・電子機器が取付けられる前の段階におけるハーネス(例えば、実施形態におけるハーネスＨ１，Ｈ２，Ｈ３，Ｈ４)を挟持固定する筐体本体内部部材(例えば、実施形態におけるリールユニット載置板２６)とを有する。
【０００７】
第２の本発明に係る遊技機のハーネス仮止め装置は、前方に開口し、前面側に取付けられる前面扉と結合して筐体を構成する筐体本体と、端部にコネクタを有し、筐体内に設けられる電気・電子機器同士を接続するハーネスと、筐体内に備えられる電源ボックスに着脱自在に取付けられて電源ボックスを保護する電源ボックスカバーと、電源ボックスカバーと結合可能であり、結合状態における電源ボックスカバーとの間に、筐体本体内に電気・電子機器が取付けられる前の段階におけるハーネス(例えば、実施形態におけるハーネスＨ１，Ｈ２，Ｈ３，Ｈ４)を挟持固定する筐体本体内部部材(例えば、実施形態におけるリールユニット載置板２６)とを有する。
【０００８】
ここで、上記遊技機が、電気・電子機器としてリールユニットを有したスロットマシンからなるのであれば、筐体本体内部部材は、リールユニットを載置するように水平に配置されたリールユニット載置板であることが好ましい。
【発明の効果】
【０００９】
本発明に係る遊技機のハーネス仮止め装置によれば、補給口カバー或いは電源ボックスカバーを筐体本体内部部材（例えば遊技機がスロットマシンである場合におけるリールユニット載置板）に取付けることによってハーネス（筐体本体の組み立て後に筐体本体に中間部が固定されたハーネス）を筐体本体内部部材に固定（仮止め）することができ、このため筐体本体の組み立て後、筐体本体の内部に電気・電子機器を取付ける前に、筐体本体に固定したハーネスが筐体本体内でぶらついてその端部に設けられたコネクタが筐体本体の内壁等にぶつかり、破損するような事態が防止される。そして、コネクタやハーネスをテープ等により筐体本体に固定するものではないので筐体本体を傷つけたり汚損したりする心配がない。しかも、これら補給口カバーや電源ボックスカバーはハーネスを筐体本体内部部材に固定する役目を果たした後は補給口の閉塞、或いは電源ボックスの保護という本来の使用に供されるので、ハーネス固定のための部品を別途製造する必要がなく、コストをかけることなく、確実なコネクタの破損防止を行うことが可能である。
【発明を実施するための最良の形態】
【００１０】
以下、図面を参照して本発明の好ましい実施形態について説明する。図１は本発明の一実施形態に係るハーネス仮止め装置が適用されたスロットマシン１の正面図、図２は同スロットマシン１の前面扉１２を開扉した状態での正面図、図３は前面扉１２を取付けていない状態における筐体本体１１の斜視図、図４、図５、図６はそれぞれ前面扉１２及び電気・電子機器を取付けていない状態における筐体本体１１の正面図、斜視図及び背面図である。図７は筐体本体１１の背板２５に形成されたメダル補給口３０に取付けられる補給口カバー３１の斜視図、図８は補給口カバー３１をメダル補給口３０に取付けた状態を示す図である。また、図９は筐体本体１１内に取付けられる電源ボックス５０をそのカバー（電源ボックスカバー６０）とともに示す図であり、図１０は補給口カバー３１を筐体本体１１内に設けられたリールユニット載置板（中央仕切り板）２６に取付けてハーネスＨ１，Ｈ２，Ｈ３，Ｈ４を仮支持した状態を示す図である。また、図１１はハーネスの固定に用いられる電源ボックスカバー１６０の斜視図であり、図１２はこの電源ボックスカバー１６０をリールユニット載置板２６に取付けてハーネスＨ１，Ｈ２，Ｈ３，Ｈ４を仮支持した状態を示す図である。
【００１１】
スロットマシン１は全体としてほぼ直方体状に形成された筐体１０及びこの筐体１０内に備えられたリールユニット７０、ホッパーユニット８０、電源ボックス５０などの遊技動作機器及びその動作制御を行う制御基板からなる電気・電子機器から構成されており、筐体１０は前方に開口した筐体本体１１と、この筐体本体１１の前面側に取付けられた前面扉１２とからなっている。
【００１２】
筐体本体１１は横長矩形状の天板２１、同じく横長矩形状の底板２２、下底が上底よりも寸法が大きい台形状の左側板２３及び右側板２４、そして縦長矩形状の背板２５から構成されており、筐体本体１１の中央部にはリールユニット載置板２６が左側板２３と右側板２４とに両端部が支持されて水平姿勢に配置されている。本実施形態では、筐体本体１１の外郭を構成する部材（天板２１、底板２２、左側板２３、右側板２４及び背板２５）は木製であり、リールユニット載置板２６はアルミニウム等の金属からなっている。
【００１３】
図３及び図５に示すように、天板２１は矩形状の上部放熱開口２７が横方向に２つ並設されており、底板２２の上面側には後述するホッパーユニット８０を取付けるための左右のホッパーユニット取付け金具２９が互いに平行かつ筐体１０の前後方向に延びて設けられている。これら左右のホッパーユニット取付け金具２９はそれぞれ左右外側に位置する部分が底板２２の上面側に螺着されており、左右内側に位置する部分はやや底板２２から浮き上がるように屈曲して延びてレール受容部２９ａを形成している。
【００１４】
背板２５の上部には後述する主基板１０１を取付けるための全体として矩形枠状の主基板取付け部材２８が設けられており（図３、図４及び図５参照）、同じく背板２５の中央部には矩形状のメダル補給口３０と円形のセンサ取出し用孔３２とが横方向に並んで設けられている（図６参照）。このメダル補給口３０は本スロットマシン１がホール（遊技場）に設置されたときにのみ使用されるものであり、スロットマシン１のホールへの設置後、このメダル補給口３０内にホール側の設備であるメダル補給ホース（図示せず）を挿入しておくことにより、本スロットマシン１の遊技媒体であるメダルをホッパーユニット８０内に自動補給することができるようになっている。なお、スロットマシン１の組み立てが完了してからホールへの設置が終了するまでの間は、メダル補給口３０には補給口カバー３１が着脱自在に取付けられて閉塞される（同時にセンサ取出し用孔３２も突起３１ｄによって閉塞される）。また、センサ取出し用孔３２はホッパーユニット８０と繋がり、このホッパーユニット８０内のメダルの蓄積量を検知するメダル蓄積量センサ（図示せず）の配線を筐体本体１１の外部に引き出すためのものであり、同じくスロットマシン１がホールに設置された後に使用される。
【００１５】
補給口カバー３１は図７に示すように長方形状に形成された薄厚の基部３１ａと、この基部３１ａの一面側から面外方向に突出して延びた矩形枠状の突起部（枠状突起３１ｂ）とを有し、枠状突起３１ｂにおける基部３１ａの長辺と平行な部分にはその長辺の延びる方向に延びた切欠き部３１ｃが設けられている。枠状突起３１ｂは基部３１ａにおける一方の短辺寄り側に設けられており、基部３１ａにおける他方の短辺寄り側の部分には、枠状突起３１ｂが突出する方向と同じ方向に突出して延びた円筒状の突起部（円筒突起３１ｄ）が設けられている。また、枠状突起３１ｂにおける基部３１のａの短辺と平行に延びる部分の中央部には、枠状突起３１ｂと同じ方向に延び、かつ枠状突起３１ｂよりも足が長く、先端部に断面三角状（先端部にいくほど狭まる鏃形状）の係止部３１ｆを有した係止片３１ｅが設けられている。これら２つの係止片３１ｅは基部３１ａの長辺に沿った方向（図１０（Ｂ）中に示す矢印が向く方向）に弾性変形することが可能である。
【００１６】
この補給口カバー３１の枠状突起３１ｂの外周縁は背板２５に形成されたメダル補給口３０の内周縁よりも若干小さいサイズを有しており、補給口カバー３１を基部３１ｂの長辺が横方向に向く姿勢に（但し円筒突起３１が正面視右側になるように）して、枠状突起３１ｂを背板２５の後側から（筐体本体１１の外部から）メダル補給口３０に嵌入させることによって補給口カバー３１をメダル補給口３０に取付けることができる。また、このように補給口カバー３１をメダル補給口３０に取付けた状態では、補給口カバー３１の基部３１ａに設けられた円筒突起３１ｄが背板２５におけるメダル補給口３０の正面視右側に設けられたセンサ取出し用孔３２（図４及び図６参照）内に嵌入するようになっており、補給口カバー３１の取付け方向（向き）の誤りを未然に防止し得るとともに、センサ取出し用孔３２を閉塞し得るようになっている（図２、図４及び図８参照）。なお、図２及び図４はメダル補給口３０に補給口カバー３１が取付けられている状態を示しており、図６はメダル補給口３０に補給口カバー３１が取付けられていない状態を示している。
【００１７】
また、左側板２３及び右側板２４におけるリールユニット載置板２６が取付けられた部分よりも若干下方の位置には、左側板２３及び右側板２４を厚さ方向に貫通して設けられた取っ手開口４１が設けられている（図３及び図５参照）。これら左右の取っ手開口４１は筐体本体１１（或いは完成したスロットマシン１）を運搬するときに手を掛けることができる部分であり、取っ手開口４１に差し込んだ手（指）はリールユニット載置板２６の下面を支持し得るようになっている。従って、完成したスロットマシン１（リールユニット載置板２６の上には重量物であるリールユニット７０が載置固定されている）を運搬する者は、筐体本体１１とともにリールユニット７０をリールユニット載置板２６ごと持ち上げるようになり、運搬時におけるリールユニット載置板２６及びその取付け部（すなわち左側板２３と右側板２４）に作用する負荷が軽減される。
【００１８】
また、背板２５には長穴からなる背面放熱穴４２が複数個所に設けられており、背板２５の正面視左側下部には長方形状の電源ボックス用放熱開口４３が上下方向に延びて設けられている（図４、図５及び図６参照）。また、電源ボックス用放熱開口４３の正面視右側には円形の電源コード取出孔４４が設けられている。筐体本体１１を構成する天板２１、底板２２、左側板２３及び右側板２４それぞれの内側前方領域には筐体本体１１の開口に沿って延びる補強金具（天板部補強金具４５、底板部補強金具４６、左側板部補強金具４７、右側板部補強金具４８）が各々螺設されている。これら補強金具４５，４６，４７，４８は隣接するもの同士がその端部において結合されてフレーム構造を構成しており、筐体本体１１の強度を向上させている。
【００１９】
リールユニット７０は、図３に示すように、中央部に前後方向に抜ける空間を有して構成されたリール保持枠７１内に、同一の水平軸まわりに回転自在に配置されてリール保持枠７１の内部で回転自在な３つのリール７２，７３，７４を備えた構成を有する。リール保持枠７１はリールユニット載置板２６の上面に載置された状態で複数の固定螺子７５によって固定されており、３つのリール７２，７３，７４はそれぞれ同一の水平軸上に回転軸が配置された３つのステッピングモータ（図示せず）の回転軸に取付けられている。リール保持枠７１の上面側には各ステッピングモータの回転起動及び停止動作制御を行う回胴装置基板１０２が取付けられている。なお、各リール７２，７３，７４はそれぞれ対応するステッピングモータと組み合わされたリール駆動ユニットとして構成されており、リールユニット７０は、これらリール駆動ユニットをリール保持枠７１の前面側から挿入して固定することによって組み立てられる。なお、図３に図示はしないが、３つのリール７２，７３，７４それぞれの近傍位置には、対応するリールが現在どの図柄を表示しているかを検出する図柄検出センサが設けられており、各図柄検出センサが検出した情報は、図示しないハーネス介して回胴装置基板１０２に送られるようになっている。
【００２０】
ホッパーユニット８０はメダルを貯留するホッパータンク８１と、このポッパータンク８１の下部に位置し、ホッパータンク８１から供給されたメダルを整列させたうえでメダル払出口９５（後述）に放出するホッパー本体８２等を有して構成されている。ホッパー本体８２の下部には、互いに平行かつ筐体本体１１の前後方向に延びた左右のレール部８３（図２参照）が設けられており、これら左右のレール部８３を底板２２に設けられた前述のホッパーユニット取付け金具２９のレール受容部２９ａと底板２２上面との間にスライドさせながら挿入することによってホッパーユニット８０を筐体本体１１の底板２２に取付けることができる。
【００２１】
筐体本体１１の正面視左側下部には電源ボックス５０が設けられている。この電源ボックス５０は図９に示すように全体として縦長の直方体形状をしており、その下部には螺子取付け穴５１ａが穿設された下部支持板５１が取付けられており、左側面部には螺子取付け穴５２ａが穿設された側面部支持板５２が取付けられている。下部支持板５１及び側面部支持板５２はそれぞれ螺子取付け穴５１ａ，５２ａから取付けられる図示しない螺子によって底板２２及び左側板２３に螺着固定されている。電源ボックス５０の後面からは図示しない電源コードが延びており、この電源コードは背板２５の下部に設けられた前述の電源コード取出孔４４から筐体本体１１の外部に出されている。また、電源ボックス５０の後面は背板２５の下部に設けられた前述の電源ボックス用放熱開口４３と対向しており、電源ボックス５０から放熱された熱は、この電源ボックス用放熱開口４３を介して筐体本体１１の外部に放散されるようになっている。
【００２２】
電源ボックス５０の上面には上面パネル５３が設けられており（図９参照）、この上面パネル５３には数個のコネクタ差込口５４が前後方向に並設されるとともに、これらコネクタ差込口５４の側方には多数の冷却フィン５５が左右２列に並んで設けられている。上面パネル５３の下側には電源基板１０３（図９には図示せず。図２参照）が設けられており、上記複数のコネクタ差込口５４に差し込まれた相手方コネクタ（ハーネスの端部に設けられたコネクタ）は、この電源基板１０３と接続するようになっている。また、電源ボックス５０の前面には正面パネル５６が設けられており、この正面パネル５６の上部には設定キー差込口５７が設けられている（図９（Ａ）参照）。この設定キー差込口５７にはホール関係者が管理する設定キー（図示せず）を差し込むことができるようになっており、設定キー差込口５７に設定キーを差し込んだ状態でこれを捻り操作等することにより、入賞態様等を所望に設定することが可能である。なお、本スロットマシン１がホールに設置された後は、電源ボックス６０を保護（詳細には遊技者等による不正を防止）するため、電源ボックスカバー６０が正面パネル５６に着脱自在に取付けられる（図９（Ｂ）参照）。
【００２３】
この電源ボックスカバー６０は、正面パネル５６の外縁５６ａの形状にほぼ合致する上下方向に長い長方形形状を有しており、その外周部には正面パネル５６側に突出した矩形の枠部６１が設けられている。電源ボックスカバー６０の左側長辺の上下２箇所には爪部６２が突設されており、これら２つの爪部６２を正面パネル５６の左方上下２箇所に形成された爪係止穴５８に嵌入させて位置決めをしたうえで揺動させ、電源ボックスカバー６０を電源ボックス５０の正面パネル５６の表面に押し付けるようにすれば、電源ボックスカバー６０の上記枠部６１が正面パネル５６の外縁５６ａに外嵌して電源ボックスカバー６０が電源ボックス５０に装着されるようになっている。なお、装着された電源ボックスカバー６０を電源ボックス５０から脱着するときには、電源ボックスカバー６０の前面側に設けられた把持部６３をつかんでこれを電源ボックス５０の前方へ引っ張ればよい。
【００２４】
前面扉１２は図１及び図２に示すように筐体本体１１の前面開口部とほぼ同じ大きさの外径を有する矩形状部材からなっており、正面視中央部のやや上方位置には筐体本体１１内部に取付けられた前述のリールユニット７０を構成する３つのリール７２，７３，７４の図柄を所定範囲に限って表示させる表示窓９１が設けられており、この表示窓９１右下方にはメダルの投入口であるメダル投入口９２が設けられている。表示窓９１の左下方にはリール７２，７３，７４を回転起動させる操作のためのスタートボタン９３が設けられており、表示窓９１の中央下方にはリール７２，７３，７４の回転を停止させる操作のためのストップボタン９４ａ，９４ｂ，９４ｃが設けられている。
【００２５】
前面扉１２の中央下部にはメダルが払い出されるメダル払出口９５が設けられており、このメダル払出口９５の下方にはメダル払出口９５より払い出されたメダルを受けるメダル受皿９６が設けられている。また、表示窓９１の上方には種々の情報を表示可能な表示装置９７が取付けられており、この表示装置９７の左右下部及びメダル受皿９６のやや上方の左右位置には効果音を発生させるスピーカ９８が設置されている。
【００２６】
図２に示すように、筐体本体１１と前面扉１２とは、前面扉１２の閉扉状態における正面視左端上下に設けられた２つの蝶番１３により結合されており、前面扉１２は筐体本体１１に対して開閉（揺動）自在になっている。また、この前面扉１２は正面視中央右端部に設けられた施錠装置９９（図１参照）から図示しない施錠キーによって施錠を行うことにより閉扉状態にすることができる。なお、本スロットマシン１は前面扉１２がこのように閉扉された状態で遊技に供される。
【００２７】
筐体本体１１に設けられた前述の主基板取付け部材２８には本スロットマシン１が行う遊技動作の主な制御を行う主基板１０１が取付けられている。また、図２に示すように、前面扉１２の裏面側（筐体本体１１の内部と対向する側）の上部領域（表示装置９７の裏側）にはサブ制御基板１０４が設けられており、同じく前面扉１２の裏面側中央部領域（表示窓９１の下側）には中央表示基板１０５が左右方向に延びて設けられている。これら主基板１０１、サブ制御基板１０４及び中央表示基板１０５のほか、前述の回胴装置基板１０２及び電源基板１０３はリールユニット７０やホッパーユニット８０をはじめとする各遊技動作機器の動作制御を行うものであり、これら遊技動作機器と制御基板、或いは制御基板同士は図３及び図５に示す４本のハーネスＨ１，Ｈ２，Ｈ３，Ｈ４を含む数本のハーネスによって電気的に接続されている。
【００２８】
ここで、図３及び図５に示す４本のハーネスＨ１，Ｈ２，Ｈ３，Ｈ４はいずれも筐体本体１１を構成する左側板２３の上部（リールユニット載置板２６の上方）に取付けられた複数の固定バンドＦＢによってその中間部同士が束ねられた状態で固定されており、この状態でそれぞれのハーネスＨ１，Ｈ２，Ｈ３，Ｈ４の両端部に取付けられたコネクタＣを対応する相手方コネクタに差し込むことができるようになっている。具体的には、ハーネスＨ１は主基板１０１に設けられた主基板第１コネクタ１０１ａとサブ制御基板１０４に設けられたサブ制御基板コネクタ１０４ａとを接続（すなわち筐体本体１１側の電気電子機器と前面扉１２側の電気・電子機器とを接続）するものであり、ハーネスＨ２はサブ制御基板に設けられたサブ制御基板コネクタ１０４ｂと回胴装置基板１０２に設けられた回胴装置基板第１コネクタ１０２ａとを接続（すなわち筐体本体１１側の電気電子機器と前面扉１２側の電気・電子機器とを接続）するものである。また、ハーネスＨ３は主基板１０１に設けられた主基板第２コネクタ１０１ｂと電源基板１０３に設けられた図示しない電源基板コネクタ（この電源基板コネクタは前述した複数のコネクタ差込口５４の１つと繋がっている）とを接続（すなわち筐体本体１１側の電気・電子機器同士を接続）するものであり、ハーネスＨ４は主基板１０１に設けられた主基板第３コネクタ１０１ｃと中央表示基板１０５に設けられた中央表示基板コネクタ１０５ａとを接続（すなわち筐体本体１１側の電気電子機器と前面扉１２側の電気・電子機器とを接続）するものである。また、図示しない他のハーネスにより、主基板１０１に設けられた主基板第４コネクタ１０１ｄと回胴装置基板１０２に設けられた図示しない回胴装置基板第２コネクタとが電気的に接続されている。
【００２９】
ところで、このスロットマシン１は、先ず筐体本体１１と前面扉１２とをそれぞれ別個に組み立てたうえで別の作業現場へ搬送し、その搬送先の作業現場において、筐体本体１１及び前面扉１２側に電気・電子機器を取付け、最後に筐体本体１１と前面扉１２とを蝶番１３で結合して組み立てる。このようなスロットマシン１の組み立て過程において、筐体本体１１はその単体の組み立てが終わった後、別の作業現場へ搬送される前に、ハーネスの一部であるハーネスＨ１，Ｈ２，Ｈ３，Ｈ４が筐体本体１１の左側板２３に前述の固定バンドＦＢによって取付けられる。このように固定バンドＦＢによって筐体本体１１に固定されたハーネスＨ１，Ｈ２，Ｈ３，Ｈ４はそれぞれの両端部に取付けられたコネクタＣがぶらぶらしてしまい、筐体本体１１の運搬中等において筐体本体１１の内壁等（左右の側板２３，２４や背板２５、リールユニット載置板２６等）にぶつかって破損に至るおそれがあるため、これらハーネスＨ１，Ｈ２，Ｈ３，Ｈ４はリールユニット載置板２６の中央部に固定しておく。これらハーネスＨ１，Ｈ２，Ｈ３，Ｈ４のリールユニット載置板２６への固定は、ハーネスＨ１，Ｈ２，Ｈ３，Ｈ４をリールユニット載置板２６の上面に筐体本体１１の前後方向に延びるように（但しリールユニット載置板２６の中央部に設けられた２つの係止穴３３の間に）載置したうえで、補給口カバー３１をリールユニット載置板２６の上面に取付け、この補給口カバー３１とリールユニット載置板２６とによって、ハーネスＨ１，Ｈ２，Ｈ３，Ｈ４を挟持することによって行う。
【００３０】
補給口カバー３１のリールユニット載置板２６への取付けは、図５に示すように、補給口カバー３１をリールユニット載置板２６の上方において、基部３１ａの長辺が筐体本体１１の横方向に向き、かつ枠状突起３１ｂが下方に向くようにしたうえで、補給口カバー３１に設けられた２つの係止部３１ｆをリールユニット載置板２６に設けられた上記２つの係止穴３３に上方から差し込むことによって行う。ここで、各係止穴３３の幅（筐体本体１１の前後方向寸法）Ｗ１（図５参照）は係止片３１ｅの幅Ｗ２（図７参照）よりも若干大きく、両係止穴３３の間隔（筐体本体１１の横方向外端部同士の距離）Ｌ１は２つの係止片３１ｅの間隔（筐体本体１１の横方向外端部同士の距離）Ｌ２とほぼ等しくなっているため、補給口カバー３１に設けられた２つの係止片３１ｅは係止穴３３の通過中に係止部３１ｆがこれら係止穴３３の内壁によって押されて双方近寄る方向（図１０（Ｂ）中に示す矢印が向く方向）に弾性変形した後、係止穴３３を通過した後にはもとの状態に復帰し、係止部３１ｆがリールユニット載置板２６の下面側に突出して係止穴３３の内壁に係止される。このとき補給口カバー３１に形成された枠状突起３１ｂの端部はリールユニット載置板２６の上面に当接することになるが、枠状突起３１ｂに形成された前述の切欠き部３１ｃとリールユニット載置板２６との間には空間ＳＰができるので、ハーネスＨ１，Ｈ２，Ｈ３，Ｈ４がこの空間ＳＰ内に収められるようにする。これによりハーネスＨ１，Ｈ２，Ｈ３，Ｈ４は補給口カバー３１とリールユニット載置板２６の上面とによって挟持された状態となり、リールユニット載置板２６上に仮止めされる（図１０参照）。
【００３１】
上記のように補給口カバー３１をリールユニット載置板２６の上面に取付けることによって挟持固定されたハーネスＨ１，Ｈ２，Ｈ３，Ｈ４はリールユニット載置板２６の上面に固定（仮止め）されることになるので、筐体本体１１の運搬中等においてもこれらハーネスＨ１，Ｈ２，Ｈ３，Ｈ４が筐体本体１１内でぶらつくことはなく、従ってこれらハーネスＨ１，Ｈ２，Ｈ３，Ｈ４の端部に設けられたコネクタＣが筐体本体１１の内壁等にぶつかって破損するような事態が防止される。なお、ハーネスＨ１，Ｈ２，Ｈ３，Ｈ４は、それぞれの端部に取付けられたコネクタＣの近傍付近が補給口カバー３１とリールユニット載置板２６とによって挟持されるようにすることが好ましく、これによりコネクタＣをリールユニット載置板２６上にしっかりと固定することができ、コネクタＣの破損をより確実に防止することが可能となる。
【００３２】
筐体本体１１が組み立てられ、その後別の作業現場へ運搬されて筐体本体１１内に電気・電子機器を取付ける段になったら、補給口カバー３１をリールユニット載置板２６から取り外してハーネスＨ１，Ｈ２，Ｈ３，Ｈ４のリールユニット載置板２６への固定を解除する。この補給口カバー３１のリールユニット載置板２６からの取り外しは、リールユニット載置板２６の下面側に突出した２つの係止部３１ｆを片方の手で摘んだうえで、もう片方の手で補給口カバー３１をリールユニット載置板２６の上方に引き抜けばよい。２つの係止部３１ｆを手で摘むと、２つの係止片３１ｅは係止穴３３内で係止部３１ｆ同士が互いに近づく方向（図１０（Ｂ）中に示す矢印が向く方向）に弾性変形するので、両係止部３１ｆの係止穴３３への係止がはずれて補給カバー３１をリールユニット載置板２６から容易に引き抜くことができるようになる。
【００３３】
ここで、リールユニット載置板２６から取り外された補給口カバー３１は、スロットマシン１の組み立てが終了した後、ホールに設置されてホール側の設備であるメダル補給ホース（図示せず）がメダル補給口３０に挿着されるまでの間、メダル補給口３０に取付けられる。その取付けの要領は前述した通りである。
【００３４】
上述のように構成されてホールに設置されたスロットマシン１で遊技を行うには、遊技者は先ずメダル投入口９２よりメダルを投入し、スタートボタン９３を押す。これにより３つのリール７２，７３，７４が同時に回転起動されるので、遊技者はこれら回転している３つのリール７２，７３，７４を所望の順序及びタイミングで停止させる。３つのリール７２，７３，７４の停止操作はストップボタン９４ａ，９４ｂ，９４ｃを押すことによって行う。ここで、メダルの投入、３つのリール７２，７３，７４の回転起動及び停止操作は前面扉１２の内部に設けられたメダル投入センサ、リール回転起動操作センサ及びリール回転停止操作センサ（いずれも図示せず）によって検知される。そして、その検知信号は中央表示基板１０５及びこの中央表示基板１０５に繋がるハーネスＨ４を経由して主基板１０１に送られ、主基板１０１はその検知信号に基づいて回胴装置基板１０２にリール７２，７３，７４の回転起動及び停止命令を与える。これら命令が与えられた回胴装置基板１０２は、その命令に従って３つのリール７２，７３，７４に対応する３つのステッピングモータ（図示せず）の動作制御を行う。
【００３５】
回転していた３つのリール７２，７３，７４が全て停止すると、前述の図柄検出センサによって検出された各リールの図柄によって入賞図柄の判定、すなわち当たりかはずれかの判定が行われる。そして、図柄の組み合わせが予め定められた入賞図柄の組み合わせに該当したときには、ホッパーユニット８０よりメダル払出口９５へ入賞図柄の組み合わせに応じた枚数のメダルが払い出される。なお、このとき表示装置９７においてランプ表示がなされ、これと同時に各スピーカ９８より効果音が発生する。このように本スロットマシン１で遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得することができる。
【００３６】
上述の説明は、補給口カバー３０に取付けて用いられる補給口カバー３１を利用してハーネスＨ１，Ｈ２，Ｈ３，Ｈ４をリールユニット載置板２６上に固定するものであったが、補給口カバー３１の代わりに電源ボックス５０の正面パネル５６を保護する電源ボックスカバー６０を用いることも可能であるので、以下にその例を示す。
【００３７】
図１１はハーネス固定用に用いられる電源ボックスカバー１６０である。この電源ボックスカバー１６０は前述の電源ボックスカバー６０に下に述べる２つの可折爪部１６２と２つの係止片１６４を設けたものであり、前述の電源ボックスカバー６０と同じ構成部分には同じ符号を付してある。この電源ボックスカバー１６０は、２つの爪部６２と対向する位置にこれら爪部６２と鏡面対称となるように設けた２つの可折爪部１６２と、枠部６１の対向する２つの短辺部の中央部それぞれに設けた２つの係止片１６４とを有している。各係止片１６４は把持部６３が設けられた側とは反対の面外方向に真っ直ぐに延びており、それぞれの先端部には断面三角状（先端部にいくほど狭まる鏃形状）の係止部１６５が設けられている。
【００３８】
この電源ボックスカバー１６０を用いたリールユニット載置板２６へのハーネスＨ１，Ｈ２，Ｈ３，Ｈ４の固定は、補給口カバー３１を用いたリールユニット載置板２６へのハーネスＨ１，Ｈ２，Ｈ３，Ｈ４の固定と同様の要領で行う。すなわち、先ずハーネスＨ１，Ｈ２，Ｈ３，Ｈ４をリールユニット載置板２６の上面に筐体本体１１の前後方向に延びるように（但しリールユニット載置板２６の中央部に設けられた２つの係止穴３３′の間に）載置したうえで、電源ボックスカバー１６０をリールユニット載置板２６の上面に取付け、電源ボックスカバー１６０とリールユニット載置板２６とによって、ハーネスＨ１，Ｈ２，Ｈ３，Ｈ４を挟持することによって行う。
【００３９】
ここで、電源ボックスカバー１６０のリールユニット載置板２６への取付けは、補給口カバー３１のときと同様に、電源ボックスカバー１６０をリールユニット載置板２６の上方において、長手方向が筐体本体１１の横方向に向き、かつ枠部６１が下方に向くようにしたうえで、電源ボックスカバー１６０に設けられた２つの係止部１６５をリールユニット載置板２６に設けられた上記２つの係止穴３３′に上方から差し込むことによって行う。ここで、各係止穴３３の幅（筐体本体１１の前後方向寸法）は係止片１６４の幅Ｗ２′（図１１参照）よりも若干大きく、両係止穴３３′の間隔（筐体本体１１の横方向外端部同士の距離）Ｌ１は２つの係止片１６５の間隔（筐体本体１１の横方向外端部同士の距離）Ｌ２′とほぼ等しくなっているため、電源ボックスカバー１６０に設けられた２つの係止片１６４は係止穴３３′の通過中に係止部１６５がこれら係止穴３３′の内壁によって押されて双方近寄る方向（図１２（Ｂ）中に示す矢印が向く方向）に弾性変形した後、係止穴３３′を通過した後にはもとの状態に復帰し、係止部１６５がリールユニット載置板２６の下面側に突出して係止穴３３′の内壁に係止される。このとき、電源ボックスカバー１６０に形成された４つの爪部（２つの爪部６２と２つの可折爪部１６２）の端部はリールユニット載置板２６の上面に当接することになるが、両爪部６２，６２の間及び両可折爪部１６２，１６２の間には空間ＳＰができるので、ハーネスＨ１，Ｈ２，Ｈ３，Ｈ４がこの空間ＳＰ内に収められるようにする。これによりハーネスＨ１，Ｈ２，Ｈ３，Ｈ４は電源ボックスカバー１６０とリールユニット載置板２６の上面とによって挟持された状態となり、リールユニット載置板２６上に仮止めされる（図１２参照）。
【００４０】
上記のように電源ボックスカバー１６０をリールユニット載置板２６の上面に取付けることによって挟持固定されたハーネスＨ１，Ｈ２，Ｈ３，Ｈ４はリールユニット載置板２６の上面に固定（仮止め）されることになる。従って、筐体本体１１の運搬中等においてもこれらハーネスＨ１，Ｈ２，Ｈ３，Ｈ４が筐体本体１１内でぶらつくことはなく、これらハーネスＨ１，Ｈ２，Ｈ３，Ｈ４の端部に設けられたコネクタＣが筐体本体１１の内壁等にぶつかって破損するような事態が防止されるのは補給口カバー３１によってハーネスＨ１，Ｈ２，Ｈ３，Ｈ４をリールユニット載置板２６に固定した場合と同様である。
【００４１】
筐体本体１１が組み立てられ、その後別の作業現場へ運搬されて筐体本体１１内に電気・電子機器を取付ける段になったら、電源ボックスカバ−１６０をリールユニット載置板２６から取り外してハーネスＨ１，Ｈ２，Ｈ３，Ｈ４のリールユニット載置板２６への固定を解除する。この電源ボックスカバー１６０のリールユニット載置板２６からの取り外しは、リールユニット載置板２６の下面側に突出した２つの係止部１６５を片方の手で摘んだうえで、もう片方の手で電源ボックスカバー１６０をリールユニット載置板２６の上方に引き抜けばよい。２つの係止部１６５を手で摘むと、２つの係止片１６４は係止穴３３′内で係止部１６５同士が互いに近づく方向（図１２（Ｂ）中に示す矢印が向く方向）に弾性変形するので、両係止部１６５の係止穴３３′への係止は容易にはずれる。
【００４２】
リールユニット載置板２６から取り外された電源ボックスカバー１６０は、スロットマシン１の組み立て工程の終了後、２つの可折爪部１６２と２つの係止片１６４をそれぞれ根元から折って枠部６１から切り離し、前述の電源ボックスカバー６０として電源ボックス５０の正面パネル５６に取付けて使用する。
【００４３】
以上説明したように、本発明に係る遊技機のハーネス仮止め装置によれば、補給口カバー３１或いは電源ボックスカバー１６０をリールユニット載置板２６に取付けることによってハーネス（筐体本体１１の組み立て後に筐体本体１１に中間部が固定されたハーネス）Ｈ１，Ｈ２，Ｈ３，Ｈ４をリールユニット載置板２６に固定（仮止め）することができ、このため筐体本体１１の組み立て後、筐体本体１１の内部に電気・電子機器を取付ける前に、筐体本体１１に固定したハーネスＨ１，Ｈ２，Ｈ３，Ｈ４が筐体本体１１内でぶらついてその端部に設けられたコネクタＣが筐体本体１１の内壁等にぶつかり、破損するような事態が防止される。そして、コネクタＣやハーネスＨ１，Ｈ２，Ｈ３，Ｈ４をテープ等により筐体本体１１に固定するものではないので筐体本体１１を傷つけたり汚損したりする心配がない。しかも、これら補給口カバー３１や電源ボックスカバー１６０はハーネスＨ１，Ｈ２，Ｈ３，Ｈ４を中央支持板２６に固定する役目を果たした後はメダル補給口３０の閉塞、或いは電源ボックス５０の保護という本来の使用に供されるので、ハーネス固定のための部品を別途製造する必要がなく、コストをかけることなく、確実なコネクタの破損防止を行うことが可能である。筐体本体１１の組み立て後、その内部に電気・電子機器を取付ける前に筐体本体１１に固定されるハーネスは、筐体本体１１側の電気・電子機器と前面扉１２側の電気・電子機器とを接続する比較的長いもの（ハーネスＨ１，Ｈ２，Ｈ４がこれに相当）が多いため、筐体本体１１の運搬中において、筐体本体１１における固定部（固定バンドＦＢの部分）を支点にぶらつく可能性が大きく、本発明に係るハーネス仮止め装置によってハーネスを（コネクタを）前もって固定しておく効果は大である。
【００４４】
これまで本発明の好ましい実施形態について説明してきたが、本発明の範囲は上述の実施形態に示したものに限定されない。例えば、上述の実施形態では、リールユニット載置板２６に固定されるハーネスの数は４本であったが、これは一例に過ぎず、何本であってもよい。また、リールユニット載置板２６は補給口カバー３１或いは電源ボックスカバー６０と結合可能になっていればよく、その結合方法は補給口カバー３１に設けられた係止部３１ｆ或いは電源ボックスカバー６０に設けられた係止部１６５をリールユニット載置板２６に設けられた係止穴３３（或いは３３′）に取付けて係止するものに限られない。また、ハーネスを固定する際に補給口カバー３１或いは電源ボックスカバー６０が取付けられる筐体本体１１内部の部材はリールユニット載置板２６に限られるわけではなく、筐体本体１１内部の部材であれば、その他の部材であってもよい（例えば左側板２３）。また、メダル補給口３０が設けられるのは、筐体本体１１の外郭を構成する部材であればよく、必ずしも背板２５でなくてもよい（筐体本体１１内におけるホッパーユニット８０等の配置構成にもよるが、例えば左側板２３や右側板２４も候補として考えられる）。
【００４５】
また、上述の実施形態では、補給口カバー３１と電源ボックスカバー６０（１６０）とは互いに別の部材であったが、補給カバー３１を電源ボックスカバー６０として使用できる形状とすることにより、これを筐体本体１１の組み立て直後はハーネスの仮支持装置の一部材として、スロットマシン１の組み立て完了後ホールへ運搬するまでは補給口カバーとして、更にスロットマシン１をホールへ設置した後は電源ボックスカバーとして使用できるようにしてもよい。また、上述の実施形態では、遊技媒体がメダルであるスロットマシン１を例にして本発明に係るハーネス仮止め装置の構成を説明したが、本発明は必ずしもメダルを遊技媒体とする遊技機に限られず、その他、球などを遊技媒体とする遊技機に対しても同様に適用することが可能である。
【図面の簡単な説明】
【００４６】
【図１】本発明の一実施形態に係るハーネス仮止め装置が適用されたスロットマシンの正面図である。
【図２】スロットマシンの前面扉を開扉した状態での正面図である。
【図３】前面扉を取付けていない状態における筐体本体の斜視図である。
【図４】前面扉及び電気・電子機器を取付けていない状態における筐体本体の正面図である。
【図５】前面扉及び電気・電子機器を取付けていない状態における筐体本体の斜視図である。
【図６】前面扉及び電気・電子機器を取付けていない状態における筐体本体の背面図である。
【図７】筐体本体の背板に形成されたメダル補給口に取付けられる補給口カバーの斜視図である。
【図８】補給口カバーをメダル補給口に取付けた状態を図４の矢視VIII−VIIIから見た断面図である。
【図９】筐体本体内に取付けられる電源ボックスをそのカバー（電源ボックスカバー）とともに示す図であり、（Ａ）は電源ボックスから電源ボックスカバーを取り外した状態、（Ｂ）は電源ボックスに電源ボックスカバーを取付けた状態をそれぞれ示している。
【図１０】（Ａ）は補給口カバーをリールユニット載置板に取付けてハーネスを仮支持した状態を示す斜視図であり、（Ｂ）は（Ａ）における矢視ＸＢ−ＸＢから見た断面図である。
【図１１】ハーネスの固定に用いられる電源ボックスカバーの斜視図である。
【図１２】（Ａ）は電源ボックスカバーをリールユニット載置板に取付けてハーネスを仮支持した状態を示す斜視図であり、（Ｂ）は（Ａ）における矢視ＸIIＢ−ＸIIＢから見た断面図である。
【符号の説明】
【００４７】
１        スロットマシン（遊技機）
１０      筐体
１１      筐体本体
１２      前面扉
１３      蝶番
２１      天板
２２      底板
２３      左側板
２４      右側板
２５      背板
２６      リールユニット載置板（筐体本体内部部材）
２７      上部放熱開口
２８      主基板取付け部材
２９      ホッパーユニット取付け金具
２９ａ    レール受容部
３０      メダル補給口（補給口）
３１      補給口カバー
３１ａ    基部
３１ｂ    枠状突起
３１ｃ    切欠き部
３１ｄ    円筒突起
３１ｅ    係止片
３２      センサ取出し用孔
３３      係止穴
３３′    係止穴
４１      取っ手開口
４２      背面放熱穴
４３      電源ボックス用放熱開口
４４      電源配線取出孔
４５      天板部補強金具
４６      底板部補強金具
４７      左側板部補強金具
４８      右側板部補強金具
５０      電源ボックス
５１      下部支持板
５１ａ    螺子取付け穴
５２      側面部支持板
５２ａ    螺子取付け穴
５３      上面パネル
５４      コネクタ差込口
５５      冷却フィン
５６      正面パネル
５６ａ    正面パネルの外縁
５７      設定キー差込口
５８      爪係止穴
６０      電源ボックスカバー
６１      枠部
６２      爪部
６３      把持部
７０      リールユニット
７１      リール保持枠
７２，７３、７４    リール
７５      固定螺子
８０      ホッパーユニット
８１      ホッパータンク
８２      ホッパー本体
８３      レール部
９１      表示窓
９２      メダル投入口
９３      スタートボタン
９４ａ，９４ｂ，９４ｃ      ストップスイッチ
９５      メダル払出口
９６      メダル受皿
９７      表示装置
９８      スピーカ
９９      施錠装置
１０１    主基板
１０１ａ  主基板第１コネクタ
１０１ｂ  主基板第２コネクタ
１０１ｃ  主基板第３コネクタ
１０１ｄ  主基板第４コネクタ
１０２    回胴装置基板
１０３    電源基板
１０４    サブ制御基板
１０４ａ  サブ制御基板コネクタ
１０５    中央表示基板
１０５ａ  中央表示基板コネクタ
１６０    電源ボックスカバー
１６２    爪部
１６４    係止片
１６５    係止部
【図１】
2007044247.tif 000003
【図２】
2007044247.tif 000004
【図３】
2007044247.tif 000005
【図４】
2007044247.tif 000006
【図５】
2007044247.tif 000007
【図６】
2007044247.tif 000008
【図７】
2007044247.tif 000009
【図８】
2007044247.tif 000010
【図９】
2007044247.tif 000011
【図１０】
2007044247.tif 000012
【図１１】
2007044247.tif 000013
【図１２】
2007044247.tif 000014